Podtech/llm-jp-corpus-v4-ja_patent huggingface dataset:
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
エアロゾル発生装置のための充電器であって、前記充電器が、
前記エアロゾル発生装置のための電池に動作可能に結合可能な充電インターフェースと、
少なくとも前記電池が前記充電インターフェースに結合されている間に、モバイルユーザー装置と通信するための通信インターフェースであって、前記モバイルユーザー装置が前記電池から分離している、通信インターフェースと、
前記充電インターフェースおよび前記通信インターフェースに動作可能に結合されたコントローラであって、
前記コントローラが一つの電池を、前記充電インターフェースに結合された他の電池と区別することを可能にするための、前記電池に対応する一意の電池識別子を判定することと、
前記通信インターフェースを使用して前記モバイルユーザー装置との接続を確立することであって、前記接続がユーザーデータを通信するように構成される、確立することと、
前記電池識別子の前記判定、および前記モバイルユーザー装置との前記接続の確立に応答して、前記電池識別子を前記モバイルユーザー装置に関連付けることと、
前記通信インターフェースを使用して前記電池識別子を前記モバイルユーザー装置に送信することと、
前記電池識別子を前記モバイルユーザー装置に送信した後に、前記電池識別子が前記モバイルユーザー装置に一致するとの判定を、前記モバイルユーザー装置から受信することと、を行うように構成される、コントローラと、を備える、充電器。
【請求項２】
前記ユーザーデータが、前記モバイルユーザー装置に関連付けられたユーザー名、モバイルユーザー装置の識別子、最大電池充電時間、前記モバイルユーザー装置に関連付けられた一つ以上の電池識別子、洗浄データ、カレンダーデータ、移動データ、マルチメディアデータ、ユーザーの好みデータ、およびソーシャルデータのうちの一つ以上を含む、請求項１に記載の充電器。
【請求項３】
前記コントローラがさらに、Ｂｌｕｅｔｏｏｔｈプロトコルを使用して前記接続を確立するように構成される、請求項１または２に記載の充電器。
【請求項４】
前記コントローラがさらに、前記通信インターフェースと前記モバイルユーザー装置との間で通信されるユーザーデータに基づいて、前記電池識別子を前記モバイルユーザー装置に関連付けるように構成される、請求項１〜３のいずれか一項に記載の充電器。
【請求項５】
前記コントローラがさらに、前記電池を前記充電インターフェースに結合するのに応答して、前記充電インターフェースを使用して前記電池識別子を受信するように構成される、請求項１〜４のいずれか一項に記載の充電器。
【請求項６】
前記コントローラがさらに、前記電池識別子を、前記コントローラに接続された任意のモバイルユーザー装置に送信して、前記電池を特定モバイルユーザー装置に関連付けるように構成される、請求項１〜５のいずれか一項に記載の充電器。
【請求項７】
前記コントローラがさらに、
前記モバイルユーザー装置から前記モバイルユーザー装置に関連付けられた一つ以上の電池識別子を受信し、
前記電池識別子が、前記受信した一つ以上の電池識別子のうちの一つに一致するかどうかを判定するように構成される、請求項１〜６のいずれか一項に記載に充電器。
【請求項８】
前記コントローラがさらに、前記電池識別子が一致しないとの判定に応答して、前記モバイルユーザー装置から切断されるように構成される、請求項１〜７のいずれか一項に記載の充電器。
【請求項９】
前記コントローラがさらに、前記電池識別子が一致しないとの判定に応答して、別のモバイルユーザー装置を探すように構成される、請求項１〜８のいずれか一項に記載の充電器。
【請求項１０】
前記コントローラがさらに、前記電池が前記充電インターフェースから取り外されることに応答して、前記モバイルユーザー装置から切断されるように構成される、請求項１〜９のいずれか一項に記載の充電器。
【請求項１１】
前記コントローラがさらに、
前記電池に関連付けられたユーザー動作を検出し、
前記ユーザー動作の検出に応答して、前記通信インターフェースを使用して前記電池識別子を前記モバイルユーザー装置に送信するように構成される、請求項１〜１０のいずれか一項に記載の充電器。
【請求項１２】
前記充電インターフェースがスクリーンを備え、前記コントローラがさらに、
前記モバイルユーザー装置からのユーザーデータに基づいて可視要素を生成し、
前記スクリーン上に前記可視要素を表示するように構成される、請求項１〜１１のいずれか一項に記載の充電器。
【請求項１３】
前記コントローラがさらに、
前記電池と前記モバイルユーザー装置との関連を保存し、
前記電池が前記充電インターフェースに再結合されるのに応答して、前記通信インターフェースを使用して前記モバイルユーザー装置を探すように構成される、請求項１、２、および１〜１２のいずれか一項に記載の充電器。
【請求項１４】
前記コントローラがさらに、前記通信インターフェースを使用して充電器データを前記モバイルユーザー装置に送信するように構成され、前記充電器データが、前記電池の充電レベル、前記電池のフル充電までの時間、前記電池のフル充電が完了したとの警告、ユーザーが近づきつつあるイベントを有することに応答した、前記電池が前記充電インターフェースに動作可能に結合されたままであるとの警告、この充電器における前記エアロゾル発生装置の最後の洗浄からの時間、前記充電器の地理的位置、およびサービス提案のうちの一つ以上を含む、請求項１〜１３のいずれか一項に記載の充電器。
【請求項１５】
前記コントローラがさらに、クイックチャージモードおよびロードバランシングモードのうちの一つ以上に応じて前記電池を充電するように構成される、請求項１〜１４のいずれか一項に記載の充電器。
【請求項１６】
前記コントローラが、前記電池の充電に関連するメッセージを前記モバイルユーザー装置に送信するために、無線ネットワークに動作可能に結合可能である、請求項１〜１５のいずれか一項に記載の充電器。
【請求項１７】
前記コントローラがさらに、
前記モバイルユーザー装置からの前記ユーザーデータに基づいてソーシャルデータを判定し、
前記通信インターフェースを使用して、確立された接続を有する他のモバイルユーザー装置と前記ソーシャルデータを共有するよう構成される、請求項１〜１６のいずれか一項に記載の充電器。
【請求項１８】
前記充電器が、前記充電インターフェースを含むハウジングを備え、前記ハウジングがさらに、一人以上のユーザーに割り当て可能なロッキング要素を含む、請求項１〜１７のいずれか一項に記載の充電器。
【請求項１９】
前記充電インターフェースが、一人のユーザーのみが、前記電池を前記充電インターフェースにロックして、他の人が前記電池を取ることを防止することを可能にする、請求項１〜１８のいずれか一項に記載の充電器。
【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
第１のドメインと第２のドメインを含む抗原認識コンストラクトであって、該第１および該第２のドメインはそれぞれ相補性決定領域（ＣＤＲ）を含むものであり、該第１のドメインは配列番号６（ＣＤＲａ２）および７（ＣＤＲａ３）に記載のアミノ酸配列を含み、および該第２のドメインは配列番号１４（ＣＤＲｂ２）および１５（ＣＤＲｂ３）に記載のアミノ酸配列を含み、
ａ）該第１のドメインのＣＤＲａ１は配列番号５に示されるものであり、および該第２のドメインのＣＤＲｂ１は配列番号３７〜４４のいずれか１つに示されるアミノ酸配列から選択されるものであり、または
ｂ）該第１のドメインのＣＤＲａ１は配列番号２６に示されるものであり、および該第２のドメインのＣＤＲｂ１は配列番号１３および３７〜４９のいずれか１つに示されるアミノ酸配列から選択されるものであり、
前記抗原認識コンストラクトは１つまたは２つ以下の修飾アミノ酸を含むそれぞれのＣＤＲアミノ酸配列を含み、前記修飾アミノ酸はアミノ酸の挿入、欠失、または置換から選択される、抗原認識コンストラクト。
【請求項２】
前記抗原認識コンストラクトが安定であり、特にＭＨＣに関する文脈で、配列番号１に記載のアミノ酸配列を含んでなるＣＯＬ６Ａ３抗原ペプチドに、特異的および／または選択的に結合できる、請求項１に記載の抗原認コンストラクト。
【請求項３】
前記抗原認識コンストラクトが、抗体、または誘導体またはそれらの断片であり、またはＴ細胞受容体（ＴＣＲ）、または誘導体またはそれらの断片であり、該誘導体または断片はＣＯＬ６Ａ３抗原ペプチドに特異的および／または選択的に結合する分子の抗原結合能力および／または抗原認識能力を保持する、請求項１または２に記載の抗原認識コンストラクト。
【請求項４】
前記第１のドメインがＴＣＲαまたはγ鎖の一部であり、および／または前記第２のドメインがＴＣＲβまたはδ鎖の一部である、請求項１〜３のいずれか一項に記載の抗原認識コンストラクト。
【請求項５】
抗原認識コンストラクトは一本鎖抗原認識コンストラクトであり、好ましくは該一本鎖抗原認識コンストラクトが一本鎖ＴＣＲである、請求項１〜４のいずれか一項に記載の抗原認識コンストラクト。
【請求項６】
抗原認識コンストラクトは可溶性ＴＣＲである、請求項１〜５のいずれか一項に記載の抗原認識コンストラクト。
【請求項７】
請求項１〜６のいずれか一項に記載の抗原認識コンストラクトをコードする核酸。
【請求項８】
請求項７に記載の核酸を含む、核酸ベクター。
【請求項９】
請求項１〜６のいずれか一項に記載の抗原認識コンストラクト、または請求項７に記載の核酸または請求項８に記載のベクターを含んでなる組換え宿主細胞であって、好ましくは前記宿主細胞は哺乳類細胞、より好ましくはヒト細胞である、組換え宿主細胞。
【請求項１０】
宿主細胞が、
ａ）リンパ球、好ましくはＴリンパ球またはＴリンパ球始原細胞、より好ましくは、ＣＤ４＋またはＣＤ８＋Ｔ細胞、または
ｂ）非リンパ球
である、請求項９に記載の宿主細胞。
【請求項１１】
請求項１〜６のいずれか一項に記載の抗原認識コンストラクト、または請求項７に記載の核酸もしくは請求項８に記載のベクター、または請求項９または１０に記載の宿主細胞、および薬学的に許容可能な担体、希釈剤、安定剤および／または賦形剤を含んでなる、医薬組成物。
【請求項１２】
ａ．適切な宿主細胞を提供するステップと、
ｂ．請求項１〜６のいずれか一項に記載の抗原認識コンストラクトをコードするコード配列を含んでなる、遺伝子コンストラクトを提供するステップと、
ｃ．前記遺伝子コンストラクトを前記適切な宿主細胞に導入するステップと、
ｄ．前記適切な宿主細胞によって前記遺伝子コンストラクトを発現させるステップと
を含んでなる、請求項１〜６のいずれか１項に記載のＣＯＬ６Ａ３特異的抗原認識コンストラクトを生成する方法。
【請求項１３】
前記抗原認識コンストラクトを前記適切な宿主細胞から単離し精製するステップをさらに含んでなる、請求項１２に記載の方法。
【請求項１４】
前記抗原認識コンストラクトをＴ細胞中で再構成するステップとをさらに含んでなる、請求項１２または１３に記載の方法。
【請求項１５】
医薬の製造における、請求項１〜６のいずれか一項に記載の抗原認識コンストラクト、請求項７に記載の核酸または請求項８に記載のベクター、請求項９または１０に記載の宿主細胞、または請求項１１に記載の医薬品組成物の使用。
【請求項１６】
増殖性疾患の診断、予防、および／または治療で使用するための医薬の製造における、請求項１〜６のいずれか一項に記載の抗原認識コンストラクト、請求項７に記載の核酸または請求項８に記載のベクター、請求項９または１０に記載の宿主細胞、または請求項１１に記載の医薬品組成物の使用。
【請求項１７】
前記増殖性疾患はがんであり、好ましくはがんは、ＣＯＬ６Ａ３が過剰発現され、変異し、および／またはＣＯＬ６Ａ３由来の腫瘍関連抗原が提示されるがんから選択される、請求項１６に記載の使用。
【請求項１８】
生物学的サンプルにおいてがんを検出するインビトロ方法であって、
ａ）生物学的サンプルを請求項１〜６のいずれか一項に記載の抗原認識コンストラクトに接触させるステップと；
ｂ）抗原認識コンストラクトの生物学的サンプルへの結合を検出するステップと
を含む、方法。
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
ａ）第１のＴＣＲポリペプチド配列をコードするヌクレオチド配列； 
ｂ）内因性のＴＣＲ遺伝子座位の第１領域と同一のヌクレオチド配列；
ｃ）前記内因性のＴＣＲ遺伝子座位の第２領域と同一のヌクレオチド配列；及び
ｄ）第１のリンカーポリペプチド配列をコードするヌクレオチド配列
を含むポリヌクレオチドであって、
前記内因性のＴＣＲ遺伝子座位の第１領域と第２領域と同一のヌクレオチド配列が、前記内因性のＴＣＲ遺伝子座位での相同組換えを促進するように配向されており、前記第１のリンカーポリペプチド配列をコードするヌクレオチド配列がＰ２Ａリボソーム・スキッピング・エレメントを含む、ポリヌクレオチド。
【請求項２】
前記内因性のＴＣＲ遺伝子座位の第１領域と同一のヌクレオチド配列は、各々長さが６００塩基から２０００塩基である、請求項１に記載のポリヌクレオチド。
【請求項３】
前記ポリヌクレオチドが環状ポリヌクレオチドであり、任意選択的に、前記環状ポリヌクレオチドがプラスミド又はナノプラスミドである、請求項１又は２に記載のポリヌクレオチド。
【請求項４】
第２のＴＣＲポリペプチドをコードするヌクレオチド配列及び第２のリンカーポリペプチドをコードするヌクレオチド配列をさらに含み、前記第２のリンカーポリペプチド配列をコードするヌクレオチド配列がＰ２Ａリボソーム・スキッピング・エレメントを含む、請求項１〜３の何れか一項に記載のポリヌクレオチド。
【請求項５】
前記第１のリンカーポリペプチドが、Ｎ末端からＣ末端の方向に、アミノ酸配列Ｇｌｙ−Ｓｅｒ−Ｇｌｙ及びＰ２Ａリボソーム・スキッピング・エレメントを含み、第２のリンカーポリペプチドが、Ｎ末端からＣ末端の方向に、フリン切断部位、アミノ酸配列Ｇｌｙ−Ｓｅｒ−Ｇｌｙ、及びＰ２Ａリボソーム・スキッピング・エレメントを含む、請求項１〜４の何れか一項に記載のポリヌクレオチド。
【請求項６】
前記第１のＴＣＲポリペプチドをコードするヌクレオチド配列及び／又は第２のＴＣＲポリペプチドをコードするヌクレオチド配列が、シグナルペプチドをコードするヌクレオチド配列を含み、前記シグナルペプチドが、前記第１のＴＣＲポリペプチド及び／又は前記第２のＴＣＲポリペプチドに動作可能的に連結している、請求項１〜５の何れか一項に記載のポリヌクレオチド。
【請求項７】
前記シグナルペプチドが、ヒト成長ホルモンのシグナルペプチドである、請求項６に記載のポリヌクレオチド。
【請求項８】
内因性のＴＣＲ遺伝子座位が、ＴＲＡＣ又はＴＲＢＣ遺伝子座位である、請求項１〜７の何れか一項に記載のポリヌクレオチド。
【請求項９】
前記ポリヌクレオチドが、５’から３’の方向に、内因性のＴＣＲ遺伝子座位の第１領域と同一のヌクレオチド配列、第１のリンカーポリペプチド配列をコードするヌクレオチド配列、第１のＴＣＲポリペプチド配列をコードするヌクレオチド配列、第２のリンカーポリペプチド配列をコードするヌクレオチド配列、第２のＴＣＲポリペプチド配列をコードするヌクレオチド配列、及び内因性のＴＣＲ遺伝子座位の第２領域と同一のヌクレオチド配列を含む、請求項１〜８の何れか一項に記載のポリヌクレオチド。
【請求項１０】
内因性のＴＣＲ遺伝子座位の第１領域と同一のヌクレオチド配列と内因性のＴＣＲ遺伝子座位の第２領域と同一のヌクレオチド配列が、コドンが異なる（codon diverged）ヌクレオチド配列である、請求項１〜９の何れか一項に記載のポリヌクレオチド。
【請求項１１】
ウイルスを介した送達の構成成分を実質的に含まない、請求項１〜１０の何れか一項に記載のポリヌクレオチドを含む、改変Ｔ細胞。
【請求項１２】
Ｔ細胞を改変するための非ウイルス的な方法であって、請求項１〜１０の何れか一項に記載のポリヌクレオチド及び内因性のＴＣＲ遺伝子座位を切断可能なヌクレアーゼ組成物をＴ細胞に送達することを含む、方法。
【請求項１３】
請求項１２の方法により得られた、改変Ｔ細胞。
【請求項１４】
対象のがんの治療において使用するための、請求項１１又は１３に記載の改変Ｔ細胞。
【請求項１５】
Ｔ細胞が前記対象から得られる、請求項１４に記載の改変Ｔ細胞。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
無線通信システムにおいて帯域幅部分（bandwidth part、ＢＷＰ）に割り当てられる資源領域を端末が決定する方法であって、
資源割り当てフィールド及び帯域幅部分指示子フィールド(bandwidth part indicator field)を含むダウンリンク制御情報（ＤＣＩ）をネットワークから受信するステップと、
前記帯域幅部分指示子フィールドにより指示される前記ＢＷＰに対して要求されるサイズより大きいリソース割り当てフィールドのサイズに基づいて、前記帯域幅部分指示子フィールドにより示される前記ＢＷＰに要求される前記サイズと同じ程度に多い前記リソース割り当てフィールドを利用して前記ＢＷＰに割り当てられる資源領域を決定するステップとを含む、方法。
【請求項２】
前記リソース割り当てフィールドはリソースブロックグループ（ＲＢＧ）と関連し、
前記ＲＢＧは帯域幅範囲（bandwidth range）によって既定義された値である、請求項１に記載の方法。
【請求項３】
前記帯域幅部分指示子フィールドにより指示される前記ＢＷＰに対して要求されるサイズより小さいリソース割り当てフィールドのサイズに基づいて、前記ＢＷＰに割り当てられる資源領域を決定するステップと、
前記リソース割り当てフィールドに基づいて、前記ＢＷＰの既定義された点から開始するステップをさらに含む、請求項１に記載の方法。
【請求項４】
前記既定義された開始点は前記ＢＷＰのリソースブロック（resource block、ＲＢ）の周波数により決定される、請求項３に記載の方法。
【請求項５】
前記既定義された開始点はランダム関数（random function）により決定される、請求項３に記載の方法。
【請求項６】
ネットワークからマルチプルＢＷＰに対する設定情報を受信するステップをさらに含む、請求項１に記載の方法。
【請求項７】
前記ＤＣＩは活性化下りリンク（ＤＬ）ＢＷＰで受信し、前記ＢＷＰは上りリンク（ＵＬ）ＢＷＰである、請求項１に記載の方法。
【請求項８】
活性化上りリンク（ＵＬ）ＢＷＰは前記帯域幅部分指示子フィールドによりスイッチされる、請求項１に記載の方法。
【請求項９】
無線通信システムにおいて帯域幅部分（bandwidth part、ＢＷＰ）に割り当てられる資源領域を決定する端末であって、
無線信号を送受信するための送受信機(transceiver)と、
前記送受信機と機能的に連結される少なくとも一つのプロセッサを含み、
前記少なくとも一つのプロセッサは、
資源割り当てフィールド及び帯域幅部分指示子フィールド(bandwidth part indicator field)を含むダウンリンク制御情報（ＤＣＩ）をネットワークから受信し、
前記帯域幅部分指示子フィールドにより指示される前記ＢＷＰに対して要求されるサイズより大きいリソース割り当てフィールドのサイズに基づいて、前記帯域幅部分指示子フィールドにより示される前記ＢＷＰに要求される前記サイズと同じ程度に多い前記リソース割り当てフィールドを利用して前記ＢＷＰに割り当てられる資源領域を決定し、端末。
【請求項１０】
前記リソース割り当てフィールドはリソースブロックグループ（ＲＢＧ）と関連し、
前記ＲＢＧは帯域幅範囲（bandwidth range）によって既定義された値である、請求項９に記載の端末。
【請求項１１】
前記少なくとも一つのプロセッサは、
前記帯域幅部分指示子フィールドにより指示される前記ＢＷＰに対して要求されるサイズより小さいリソース割り当てフィールドのサイズに基づいて、前記ＢＷＰに割り当てられる資源領域を決定し、
前記割り当てられたフィールドに基づいて、前記ＢＷＰの既定義された点から開始する、請求項９に記載の端末。
【請求項１２】
前記既定義された開始点は第２のＢＷＰのリソースブロック（resource block、ＲＢ）の周波数により決定される、請求項１１に記載の端末。
【請求項１３】
前記既定義された開始点はランダム関数（random function）により決定される、請求項１１に記載の端末。
【請求項１４】
前記ＤＣＩは活性化下りリンク（ＤＬ）ＢＷＰで受信し、前記ＢＷＰは上りリンク（ＵＬ）ＢＷＰである、請求項９に記載の端末。
【請求項１５】
活性化上りリンク（ＵＬ）ＢＷＰは前記帯域幅部分指示子フィールドによりスイッチされる、請求項９に記載の端末。
【手続補正書】
【提出日】令和3年11月4日(2021.11.4)
【手続補正１】
【補正対象書類名】特許請求の範囲
【補正対象項目名】全文
【補正方法】変更
【補正の内容】
【特許請求の範囲】
【請求項１】
以下のコンポーネントを含むベクター構築物：
（ｉ）タンパク質をＴａｔ分泌経路中に誘導するシグナルペプチドをコードする配列、及び
（ｉｉ）ｐＶＩＩＩファージコートタンパク質をコードする配列に融合した蛍光団をコードする配列。
【請求項２】
前記蛍光団が、βバレル構造体又は構築体を有する又は含む蛍光団である、請求項１に記載のベクター構築物。
【請求項３】
前記蛍光団がＧＦＰ、ＧＦＰ誘導体である、又はＧＦＰ構築体を有する、請求項２に記載のベクター構築物。
【請求項４】
前記蛍光団がｍＮｅｏｎＧｒｅｅｎ又はその変異体である、請求項３に記載のベクター構築物。
【請求項５】
前記ｍＮｅｏｎＧｒｅｅｎが配列番号４を含む、又は変異体配列が配列番号４と少なくとも７０％同一である配列である、請求項４に記載のベクター構築物。
【請求項６】
前記シグナルペプチドがＴｏｒＡ又はその変異体である、請求項１から５のいずれか一項に記載のベクター構築物。
【請求項７】
前記ＴｏｒＡ変異体がＴｏｒ  ＡＢ７又はその変異体である、請求項６に記載のベクター構築物。
【請求項８】
前記Ｔｏｒ  ＡＢ７が配列番号２を含む、又は変異体配列が配列番号２と少なくとも７０％同一である配列である、請求項７に記載のベクター構築物。
【請求項９】
前記ｐＶＩＩＩファージコートタンパク質がＭ１３、ｆｄ若しくはｆ１ファージ又はそれらの変異体に由来するｐＶＩＩＩコートタンパク質に対応する、請求項１から８のいずれか一項に記載のベクター構築物。
【請求項１０】
前記ｐＶＩＩＩファージコートタンパク質が配列番号８、又は配列番号８と少なくとも７０％同一である変異体配列を含む、請求項１から９のいずれか一項に記載のベクター構築物。
【請求項１１】
前記変異体配列が、配列番号８の位置３３又は対応する位置にバリンからイソロイシンへの変異を有する、請求項１０に記載のベクター構築物。
【請求項１２】
前記イソロイシン残基をコードする核酸配列がコドンＡＴＡを含む、請求項１１に記載のベクター構築物。
【請求項１３】
前記ｐＶＩＩＩファージコートタンパク質が、配列番号６１若しくは配列番号６１と少なくとも７０％同一である配列を含む、又は配列番号６０若しくは配列番号６０と少なくとも７０％同一である配列を含む核酸配列によってコードされる、請求項１１又は請求項１２に記載のベクター構築物。
【請求項１４】
前記ｐＶＩＩＩファージコートタンパク質が配列番号２５、又は配列番号２５と少なくとも７０％同一である変異体配列を含む、請求項１から９のいずれか一項に記載のベクター構築物。
【請求項１５】
前記ベクターが、前記蛍光団と前記ｐＶＩＩＩファージコートタンパク質の間のリンカーをコードする配列を更に含む、請求項１から１４のいずれか一項に記載のベクター構築物。
【請求項１６】
前記リンカーが配列番号６又はその変異体を含み、変異体配列が配列番号６と少なくとも７０％同一である配列である、請求項１５に記載のベクター構築物。
【請求項１７】
前記ベクターが、検出可能なタグをコードする配列を更に含む、請求項１から１６のいずれか一項に記載のベクター構築物。
【請求項１８】
前記タグが前記シグナルペプチドと前記蛍光団の間に位置する、請求項１７に記載のベクター構築物。
【請求項１９】
前記タグがＦＬＡＧタグ若しくはその誘導体又は別の負電荷タグである、請求項１７又は請求項１８に記載のベクター構築物。
【請求項２０】
前記ベクターが１個以上のリボソーム結合部位（ＲＢＳ）を更に含む、請求項１から１９のいずれか一項に記載のベクター構築物。
【請求項２１】
前記蛍光団−ｐＶＩＩＩ融合タンパク質の翻訳を推進する前記ＲＢＳが弱いＲＢＳである、請求項２０に記載のベクター構築物。
【請求項２２】
前記ベクター構築物が、配列番号１６を含む配列又はそれと少なくとも７０％同一である配列をコードする、請求項１から２１のいずれか一項に記載のベクター構築物。
【請求項２３】
前記ベクター構築物が、配列番号１８を含む配列又はそれと少なくとも７０％同一である配列をコードする、請求項１から２１のいずれか一項に記載のベクター構築物。
【請求項２４】
前記ベクター構築物が、配列番号２０を含む配列又はそれと少なくとも７０％同一である配列をコードする、請求項１から２１のいずれか一項に記載のベクター構築物。
【請求項２５】
前記ベクター構築物が、配列番号２２を含む配列又はそれと少なくとも７０％同一である配列をコードする、請求項１から２１のいずれか一項に記載のベクター構築物。
【請求項２６】
前記ｐＶＩＩＩファージコートタンパク質又は変異体配列が、配列番号８の位置３３に対応する位置にバリンからイソロイシンへの変異を有する、請求項２３から２５のいずれか一項に記載のベクター構築物。
【請求項２７】
前記イソロイシン残基をコードする核酸配列がコドンＡＴＡを含む、請求項２６に記載のベクター構築物。
【請求項２８】
前記ベクター構築物が、非ｐＶＩＩＩファージコートタンパク質をコードする配列に融合した目的タンパク質をコードする配列を更に含む、請求項１から２７のいずれか一項に記載のベクター構築物。
【請求項２９】
前記ベクターがファージミド又はファージベクターである、請求項１から２８のいずれか一項に記載のベクター構築物。
【請求項３０】
請求項１から２９のいずれか一項に記載のコンポーネントを含む核酸分子。
【請求項３１】
請求項１から３０のいずれか一項に記載のベクター又は核酸分子を含み、蛍光団−ｐＶＩＩＩ融合タンパク質を表面で発現する、ファージ粒子。
【請求項３２】
前記ファージ粒子が繊維状ファージの粒子である、請求項３１に記載のファージ粒子。
【請求項３３】
ファージ粒子のライブラリであって、前記ファージ粒子が請求項３１又は請求項３２に記載のものであり、複数の異なる目的タンパク質が前記ファージ粒子の表面で発現される、ファージ粒子のライブラリ。
【請求項３４】
請求項１から３０のいずれか一項に記載のベクター構築物又は核酸分子を含む、ファージディスプレイシステム。
【請求項３５】
タンパク質Ｔａｔ  Ａ、Ｔａｔ  Ｂ及びＴａｔ  Ｃを過剰発現する大腸菌宿主細胞を更に含む、請求項３４に記載のファージディスプレイシステム。
【請求項３６】
請求項１から３０のいずれか一項に記載のベクター構築物若しくは核酸分子又は請求項３４若しくは請求項３５に記載のファージディスプレイシステムの使用を含む、蛍光ファージ粒子を産生させる方法。
【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
てんかんを、処置、回復、予防、治癒及び／又は遅延させるための、ｍｉＲＮＡ−１３５のアンタゴミル又はそのアンタゴミルの供給源を含む組成物であって、
前記ｍｉＲＮＡ−１３５が、ｍｉＲＮＡ−１３５分子又はｍｉＲＮＡ−１３５のｉｓｏｍｉＲであり、且つ配列番号１４〜１７、１９〜４２、５２〜５５によって表されるシード配列の７個のヌクレオチドのうちの少なくとも６個を含むシード配列を有するオリゴヌクレオチド又はそれらの供給源である、組成物。
【請求項２】
前記ｍｉＲＮＡ−１３５が、ｍｉＲＮＡ−１３５ａ分子、ｍｉＲＮＡ−１３５ｂ分子、ｍｉＲＮＡ−１３５ａのｉｓｏｍｉＲ又はｍｉＲＮＡ−１３５ｂのｉｓｏｍｉＲである、請求項１に記載の組成物。
【請求項３】
ｍｉＲＮＡの供給源が、ｍｉＲＮＡの前駆体であり、少なくとも５０ヌクレオチド長のオリゴヌクレオチドである、請求項１又は２に記載の組成物。
【請求項４】
前記ｍｉＲＮＡ−１３５が、配列番号１４７〜２１４のいずれか１つと少なくとも７０％の配列同一性を共有する、及び／或いは
前記アンタゴミルが、配列番号２４２〜２４５、２４７〜３１４のいずれか１つと少なくとも７０％の配列同一性を共有する、及び／或いは
前記ｍｉＲＮＡ又はアンタゴミルが、１５〜３０ヌクレオチド長である、及び／或いは
ｍｉＲＮＡの前記供給源が、前記ｍｉＲＮＡの前駆体であり、配列番号１〜３又は１０〜１２のいずれか１つと少なくとも７０％の配列同一性を共有する、
請求項１〜３のいずれか一項に記載の組成物。
【請求項５】
筋細胞特異的エンハンサー因子２Ａ（Ｍｅｆ２ａ）の発現を修復するための、請求項１〜４のいずれか一項に記載の組成物。
【請求項６】
てんかん発作の数及び／又はてんかん発作の期間を低減させるための、請求項１〜５のいずれか一項に記載の組成物。
【請求項７】
異常なニューロンの棘突起の形成を予防、遅延又は回復させるための、請求項１〜５のいずれか一項に記載の組成物。
【請求項８】
ニューロンの欠損又はニューロンの欠損に関連する状態若しくは疾患を、処置、治癒、回復及び／又は遅延させるための、
ｍｉＲＮＡ−１３５のアンタゴミル又はそのアンタゴミルの供給源を含む組成物であって、
前記ｍｉＲＮＡ−１３５が、ｍｉＲＮＡ−１３５分子又はｍｉＲＮＡ−１３５のｉｓｏｍｉＲであり、配列番号１４〜１７、１９〜４２、５２〜５５によって表されるシード配列の７個のヌクレオチドのうちの少なくとも６個を含むシード配列を有するオリゴヌクレオチド又はそれらの供給源である、
組成物。
【請求項９】
対象におけるてんかん又はてんかんに関連する疾患若しくは状態の診断を補助するための方法であって、
（ａ）前記対象から得られた試料における、請求項１〜５のいずれか一項に定義されるｍｉＲＮＡ又はその供給源の発現レベルを決定するステップ、及び任意選択で、
（ｂ）請求項１〜５のいずれか一項に定義される前記ｍｉＲＮＡ又はその供給源の前記発現レベルを、前記ｍｉＲＮＡ又はその供給源の前記発現レベルについての参照値と比較するステップであって、前記参照値が、好ましくは、健康な対象における前記ｍｉＲＮＡ又はその供給源の前記発現レベルについての平均値であるステップ
を含む、方法。
【請求項１０】
ステップ（ａ）において、
ｉ）ｍｉＲＮＡ−１３５ａ及びｍｉＲＮＡ−１３５ｂの両方、若しくはｉｓｏｍｉＲ、又はそれらの供給源、或いは
ｉｉ）Ｍｅｆ２ａ、或いは
ｉｉｉ）Ｐｒｅ−ｍｉＲＮＡ−１３５ａ１、或いは
ｉｖ）Ｐｒｅ−ｍｉＲＮＡ−１３５ａ２、或いは
ｖ）Ｐｒｅ−ｍｉＲＮＡ−１３５ａ１及びＰｒｅ−ｍｉＲＮＡ−１３５ａ２の両方
の前記発現レベルを決定することを含む、請求項９に記載の方法。
【請求項１１】
前記比較が、前記ｍｉＲＮＡ分子、ｉｓｏｍｉＲ又はこれらの供給源の前記発現レベルの増加の所見をもたらす場合に、てんかん又はてんかんに関連する疾患若しくは状態を有するとの指標が提供される、請求項９又は１０に記載の方法。
【請求項１２】
対象におけるてんかん又はてんかんに関連する状態若しくは疾患を、処置、回復、治癒及び／又は遅延させる能力がある物質を特定するための方法であって、
（ａ）ｍｉＲＮＡ−１３５ａ及び／若しくはｍｉＲＮＡ−１３５ｂ分子、ｉｓｏｍｉＲ又はそれらの供給源を発現する能力がある試験細胞集団を提供するステップであって、好ましくは、前記試験集団が、ＳＨ−ＳＹ５Ｙなどのニューロン細胞を含み、より好ましくは、前記試験細胞集団が、哺乳動物細胞、さらにより好ましくは、ヒト細胞を含むステップ；
（ｂ）前記試験細胞集団を前記物質と接触又はインキュベートするステップ；
（ｃ）前記物質と接触又はインキュベートされた前記試験細胞集団において、前記ｍｉＲＮＡ−１３５ａ及び／若しくはｍｉＲＮＡ−１３５ｂ分子、ｉｓｏｍｉＲ又はそれらの供給源の前記発現レベル、或いは前記ｍｉＲＮＡ−１３５ａ及び／若しくはｍｉＲＮＡ−１３５ｂ分子、ｉｓｏｍｉＲ又はそれらの供給源の活性又は定常状態のレベルを決定するステップ；
（ｄ）（ｃ）において決定された前記発現、活性又は定常状態のレベルを、前記物質と接触していない試験細胞集団における前記ｍｉＲＮＡ−１３５ａ及び／若しくはｍｉＲＮＡ−１３５ｂ分子、ｉｓｏｍｉＲ又はそれらの供給源の前記発現、活性又は定常状態のレベルと比較するステップ；並びに
（ｅ）前記物質と接触した前記試験細胞集団及び前記物質と接触していない前記試験細胞集団の間の、前記ｍｉＲＮＡ−１３５ａ及び／若しくはｍｉＲＮＡ−１３５ｂ分子、ｉｓｏｍｉＲ又はそれらの供給源の発現レベル、活性又は定常状態のレベルにおける差を生じる物質を特定するステップ
を含む、方法。
【手続補正書】
【提出日】令和3年9月3日(2021.9.3)
【手続補正１】
【補正対象書類名】特許請求の範囲
【補正対象項目名】全文
【補正方法】変更
【補正の内容】
【特許請求の範囲】
【請求項１】
ユーザ機器(UE)によって実行されるワイヤレス通信の方法であって、
基地局(BS)から残りの最小システム情報(RMSI)を受信するステップと、
初期アクティブアップリンク帯域幅部分の物理リソースブロック(PRB)周波数ロケーションに少なくとも部分的に基づいて初期アクティブアップリンク帯域幅部分を決定するステップであって、前記PRB周波数ロケーションが前記RMSI内に示され、前記初期アクティブアップリンク帯域幅部分の前記PRB周波数ロケーションを識別するステップが、
前記RMSI内に含まれる、ランダムアクセスチャネル(RACH)手順のRACH構成内の複数の基準アップリンク周波数ロケーションを識別するステップと、
前記初期アクティブアップリンク帯域幅部分の前記PRB周波数ロケーションとして、前記複数の基準アップリンク周波数ロケーションから基準アップリンク周波数ロケーションを選択するステップとを備える、ステップと、
前記UEと前記BSとの間のRACH手順のために前記初期アクティブアップリンク帯域幅部分を使用するステップと
を備える方法。
【請求項２】
ユーザ機器(UE)によって実行されるワイヤレス通信の方法であって、
基地局(BS)から受信した最小システム情報(RMSI)に基づいて、初期アクティブアップリンク帯域幅部分の物理リソースブロック(PRB)周波数ロケーションを識別するステップであって、前記初期アクティブアップリンク帯域幅部分が、前記BSと前記UEとの間のランダムアクセスチャネル(RACH)手順のために使用されるべきであり、前記初期アクティブアップリンク帯域幅部分の前記PRB周波数ロケーションを識別するステップが、
前記RMSI内に含まれる、前記RACH手順のRACH構成内の複数の基準アップリンク周波数ロケーションを識別するステップと、
前記初期アクティブアップリンク帯域幅部分の前記PRB周波数ロケーションを識別するために、前記複数の基準アップリンク周波数ロケーションから基準アップリンク周波数ロケーションを選択するステップとを備える、ステップと、
前記UEと前記BSとの間の前記RACH手順のための初期アクティブアップリンク帯域幅部分の前記PRBに少なくとも部分的に基づいて確立されたアップリンクPRBグリッドを使用するステップと
を備える方法。
【請求項３】
前記複数の基準アップリンク周波数ロケーションから前記基準アップリンク周波数ロケーションを選択するステップが、
前記RACH手順に関連付けられた前記UEの設定に少なくとも部分的に基づいて前記基準アップリンク周波数ロケーションを選択するステップ
を備える、請求項1または2に記載の方法。
【請求項４】
前記設定が、
前記UEのパラメータに少なくとも部分的に基づいたマッピングもしくはハッシュ関数、
前記RACH手順の物理ランダムアクセスチャネル(PRACH)送信の同期信号ブロック(SSB)インデックス、または
前記RACH手順の前記PRACH送信のスロットインデックス
のうちの少なくとも1つを備える、請求項3に記載の方法。
【請求項５】
前記RMSIが、前記初期アクティブアップリンク帯域幅部分のヌメロロジーを含み、
前記ヌメロロジーが、
前記RACH手順のためのサブキャリア間隔、
前記RACH手順のためのサイクリックプレフィックス、または
前記RACH手順のためのスロットごとのシンボルの数
のうちの少なくとも1つを備える、請求項1または2に記載の方法。
【請求項６】
前記ヌメロロジーが、
前記RACH手順のメッセージ3(Msg.3)送信のための物理アップリンク共有チャネル(PUSCH)のヌメロロジー、または
前記RACH手順のメッセージ4(Msg.4)送信の肯定応答(ACK)のための物理アップリンク制御チャネル(PUCCH)のヌメロロジー
のうちの少なくとも1つに少なくとも部分的に基づく、請求項5に記載の方法。
【請求項７】
前記RMSIが、
前記初期アクティブアップリンク帯域幅部分の帯域幅、
前記初期アクティブアップリンク帯域幅部分の基準周波数、
前記初期アクティブアップリンク帯域幅部分の前記基準周波数からのオフセット、または
前記初期アクティブアップリンク帯域幅部分のヌメロロジー
のうちの少なくとも1つを含む、請求項1または2に記載の方法。
【請求項８】
請求項1〜7のいずれか一項に記載の方法を実行するための手段を備えるユーザ機器。
【請求項９】
基地局(BS)によって実行されるワイヤレス通信の方法であって、
ユーザ機器(UE)に、残りの最小システム情報(RMSI)内のランダムアクセスチャネル(RACH)構成を送信するステップであって、
前記RACH構成が、前記UEのための初期アクティブアップリンク帯域幅部分を確立するために使用されるべきであり、
前記RACH構成が、複数の基準アップリンク周波数ロケーションについての情報を含み、
前記初期アクティブアップリンク帯域幅部分が、前記PRB周波数ロケーションとして、前記複数の基準アップリンク周波数ロケーションから選択された基準アップリンク周波数ロケーションに少なくとも部分的に基づいて決定される、
前記初期アクティブアップリンク帯域幅部分が、前記BSと前記UEとの間のRACH手順のために使用されるべきである、ステップと、
前記初期アクティブアップリンク帯域幅部分に少なくとも部分的に基づいて前記RACH手順のためのアップリンクPRBグリッドを確立するステップと
を備える方法。
【請求項１０】
前記アップリンクPRBグリッドが、前記初期アクティブアップリンク帯域幅部分のヌメロロジーに少なくとも部分的に基づいて確立される、請求項9に記載の方法。
【請求項１１】
前記ヌメロロジーが、
前記RACH手順のためのサブキャリア間隔、
前記RACH手順のためのサイクリックプレフィックス、または
前記RACH手順のためのスロットごとのシンボルの数
のうちの少なくとも1つを示す、請求項10に記載の方法。
【請求項１２】
前記ヌメロロジーが、
前記RACH手順のメッセージ3(Msg.3)送信のための物理アップリンク共有チャネル(PUSCH)のヌメロロジー、または
前記RACH手順のメッセージ4(Msg.4)送信の肯定応答(ACK)のための物理アップリンク制御チャネル(PUCCH)のヌメロロジー
のうちの少なくとも1つに少なくとも部分的に基づく、請求項10に記載の方法。
【請求項１３】
前記基準アップリンク周波数ロケーションが前記UEの設定に少なくとも部分的に基づいて選択される、請求項9に記載の方法。
【請求項１４】
請求項9〜13のいずれか一項に記載の方法を実行するための手段を備えた基地局(BS)。
【請求項１５】
コンピュータによるプログラムの実行時に、請求項1〜7あるいは請求項9〜13のいずれか一項に記載の方法を前記コンピュータに実行させる命令を備えたコンピュータプログラム。
【手続補正書】
【提出日】令和3年6月22日(2021.6.22)
【手続補正１】
【補正対象書類名】特許請求の範囲
【補正対象項目名】全文
【補正方法】変更
【補正の内容】
【特許請求の範囲】
【請求項１】
呼吸マスクのための調整可能なヘッドギアであって
長手方向軸を有する弾性部分と、
前記弾性部分と比較して比較的非弾性である非弾性部分であって、前記弾性部分の長手方向軸と整列した長手方向軸を有する非弾性部分を備え、
前記弾性部分は、該弾性部分の長手方向軸の方向において前記非弾性部分に後退力を提供するように構成され、
前記弾性部分が該弾性部分の長手方向軸の方向に伸長されるときに前記非弾性部分の移動に抵抗する力を提供するように構成された制限機構と、
前記非弾性部分に結合され、前記ヘッドギアの一部に沿って延在する支持ビームと、を備え、
前記支持ビームは、前記非弾性部分の長手方向軸に垂直な方向の前記非弾性部分よりも、該支持ビームの長さに垂直な方向の座屈に対して大きい抵抗を示す、調整可能なヘッドギア。
【請求項２】
座屈に対する前記抵抗は、使用中、内側−外側方向よりも上−下方向の方が大きい、請求項１に記載の調整可能なヘッドギア。
【請求項３】
前記弾性部分は、チューブを含み、前記支持ビームは、前記チューブ内に配置される、請求項１または２に記載の調整可能なヘッドギア。
【請求項４】
前記支持ビームは、相互係合レールを含む、請求項１〜３のいずれか１項に記載の調整可能なヘッドギア。
【請求項５】
前記支持ビームは、伸縮式の内側及び外側部材を含む、請求項１〜３のいずれか１項に記載の調整可能なヘッドギア。
【請求項６】
前記弾性部分は、弾性編組を含み、前記支持ビームは、前記弾性編組内に配置された本体を含む、請求項１〜５のいずれか１項に記載の調整可能なヘッドギア。
【請求項７】
前記非弾性部分は、前記本体から延在し、前記弾性編組がその長手方向軸の方向に伸長されるときに前記弾性編組内に部分的に延在する、請求項６に記載の調整可能なヘッドギア。
【請求項８】
前記本体は、テーパ状である、請求項６または７に記載の調整可能なヘッドギア。
【請求項９】
前記非弾性部分に結合された前記本体の端部は、前記本体の反対側の端部よりも狭い、請求項８に記載の調整可能なヘッドギア。
【請求項１０】
前記支持ビームは、その長手方向の延在に沿って湾曲している、請求項１〜９のいずれか１項に記載の調整可能なヘッドギア。
【請求項１１】
前記支持ビームの第１の部分は前記非弾性部分に接続され、前記第１の部分は、第１の軸に沿って延在するように構成され、前記支持ビームの第２の部分は上部ストラップ及び／又は後部ストラップに接続され、前記第２の部分は、前記第１の軸に実質的に平行な第２の軸に沿って延在するように構成され、移行部分が、前記第１の部分と前記第２の部分との間の湾曲に沿って延在する、請求項１〜１０のいずれか１項に記載の調整可能なヘッドギア。
【請求項１２】
前記移行部分は、前記第２の部分から下方に延在し、前記第１の部分は、前記移行部分から、前記ヘッドギアに接続されるマスクに向かって延在する、請求項１１に記載の調整可能なヘッドギア。
【請求項１３】
前記第２の部分は、使用者の耳の上の位置で前記上部ストラップ及び／又は後部ストラップに接続される、前記請求項１１または１２に記載の調整可能なヘッドギア。
【請求項１４】
前記第２の部分は、前記ヘッドギアの前記上部ストラップ及び後部ストラップを提供するハローストラップに接続する、請求項１１〜１３のいずれか１項に記載の調整可能なヘッドギア。
【請求項１５】
前記ヘッドギアはさらに、前記呼吸マスクのフレームに取り外し可能に取り付けるように構成された、ヨークを備える、請求項１〜１４のいずれか１項に記載の調整可能なヘッドギア。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
患者の迷走神経の耳介枝を含む末梢神経を経皮的に刺激する装置であって、
ａ．電気信号を生成するように構成された制御ユニットであって、該電気信号は約１０ｋＨｚから５０ｋＨｚの間の周波数を有し、患者の末梢神経に送達されたときに患者に感覚異常を起こさせないことを特徴とする制御ユニットと；
ｂ．前記患者の耳の一方または両方の表面上又は中にフィットするように設計されたハウジングであって、少なくとも１対の電極を搭載し、該少なくとも１対の電極は前記制御ユニットに接続されて該少なくとも１対の電極を介して前記末梢神経に前記電気信号を送達できるように構成されていることを特徴とするハウジングと；
を含むことを特徴とする装置。
【請求項２】
前記制御ユニットは前記ハウジングと一体化されていることを特徴とする請求項１に記載の装置。
【請求項３】
前記制御ユニットは、前記ハウジングとは別になっており、有線接続によって接続されていることを特徴とする請求項１に記載の装置。
【請求項４】
前記制御ユニットは、波形、振幅、および治療期間を制御することを特徴とする請求項１に記載の装置。
【請求項５】
前記制御ユニットまたは前記ハウジングの一方または両方が、前記患者の生理学的パラメータを測定するためのセンサーを含むことを特徴とする請求項１に記載の装置。
【請求項６】
前記測定された生理学的パラメータまたはアナリティクス（analytics）は、フィードバックループを介して刺激パラメータを変調するために使用されることを特徴とする請求項１に記載の装置。
【請求項７】
前記電気信号は、前記患者の末梢神経に送達されたときでも該患者に知覚されないことを特徴とする請求項１から６のうちのいずれか１項に記載の装置。
【請求項８】
前記電気信号は、前記装置がオンになっている間でも前記患者に不快な感覚を起こさせないことを特徴とする請求項１から７のうちのいずれか１項に記載の装置。
【請求項９】
前記ハウジングは患者の一方の耳にフィットするように設計された第１ハウジングであり、前記装置は患者のもう一方の耳にフィットするように設計されていることを特徴とする請求項１から８のうちのいずれか１項に記載の装置。
【請求項１０】
前記電気信号は１マイクロ秒から５００マイクロ秒のパルス幅を有することを特徴とする請求項１から９のうちのいずれか１項に記載の装置。
【請求項１１】
前記電気信号の振幅は１ｍＡから２０ｍＡであることを特徴とする請求項１から１０のうちのいずれか１項に記載の装置。
【請求項１２】
前記電気信号の周波数は１０ｋＨｚから２５ｋＨｚの間であることを特徴とする請求項１から１１のうちのいずれか１項に記載の装置。
【請求項１３】
前記制御ユニットは、前記電気信号を、最大１時間、かつ１日あたり２回以下、送達するように構成されていることを特徴とする請求項１から１２のうちのいずれか１項に記載の装置。
【請求項１４】
前記制御ユニットは、前記電気信号を、１日から１ヶ月の間、止められるように構成されていることを特徴とする請求項１から１３のうちのいずれか１項に記載の装置。
【請求項１５】
前記制御ユニットは時間をかけて徐々に電気信号を強められるように構成されていることを特徴とする請求項１から１４のうちのいずれか１項に記載の装置。
【請求項１６】
前記ハウジングは、耳甲介、耳珠、耳輪、および耳の外側表面から選択された患者の耳の標的部分に接触するように構成されており、該標的部分は迷走神経構造に近接していることを特徴とする請求項１から１５のうちのいずれか１項に記載の装置。
【請求項１７】
前記電気信号は第１電気信号であり、前記制御ユニットは、第２電気信号を生成し、該第１電気信号を前記患者の第１の耳に送達し、該第２電気信号を該患者の第２の耳に送達することを特徴とする請求項１から１６のうちのいずれか１項に記載の装置。
【請求項１８】
前記制御ユニットは、前記第１電気信号と前記第２電気信号を、それぞれ対応する、前記患者の第１の耳と第２の耳に送達する際に同期させることを特徴とする請求項１７に記載の装置。
【請求項１９】
請求項１に記載の装置であって、更に、
前記患者の身体信号を感知するように構成されたセンサーを含み、前記制御ユニットは、少なくとも該身体信号に部分的に基づいて前記電気信号の送達を調節するように構成されていることを特徴とする請求項１に記載の装置。
【請求項２０】
前記身体信号は心臓信号であり、身体パラメータが少なくとも前記患者の心拍数および／または心拍変動性の一方を含むことを特徴とする請求項１９に記載の装置。
【請求項２１】
前記電気信号が前記患者の末梢神経に送達されると、少なくとも１つの延焼誘発性バイオマーカーを減少させ、かつ／または、少なくとも１つの抗炎症性バイオマーカーを増加させることを特徴とする請求項１から２０のうちのいずれか１項に記載の装置。
【請求項２２】
前記周波数が１５ｋＨｚと２５ｋＨｚの間であり、前記電気信号は、パルス幅が５マイクロ秒から５０マイクロ秒の間にあり、振幅が１ｍＡから２０ｍＡの間にあることを特徴とし、前記制御ユニットは、前記患者の両方の耳に前記電気信号を、最大１時間、かつ、１日あたり２回以下、送達するように構成されていることを特徴とする請求項１に記載の装置。
【請求項２３】
前記電気信号は、第１電気信号と第２電気信号を含み、前記制御ユニットは、該第１電気信号を患者の第１の耳に、かつ、該第２電気信号を患者の第２の耳に、最大１時間、かつ、１日あたり２回以下、送達するように構成されていることを特徴とする請求項１に記載の装置。
【請求項２４】
前記第１電気信号は前記第２電気信号とは異なることを特徴とする請求項２３に記載の装置。
【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
成形可能材料を硬化させるシステムにおいて、
型穴を形成する金型の内部表面を有する金型を有し、前記金型は、エネルギー源により放射される電磁放射線を吸収するように構成される１つ以上の材料から形成され、前記金型は、高温域及び低温域を持ち、前記金型の１つ以上の材料を持つ前記高温域及び低温域は、前記高温域及び低温域が電磁放射線を異なる速度で吸収するように少なくとも１つの異なる物理的特性を有し、前記高温域は、前記低温域よりも速く電磁放射線を吸収し、
前記高温域は、複数の高温域の領域を含み、前記金型は、前記高温域の領域間、及び／又は高温域の領域と前記型穴との間に配されるスペーサー領域をさらに有し、前記スペーサー領域は、前記低温域のサセプタンスと、前記高温域のサセプタンスとの間のサセプタンスを持つ材料から作られる、
システム。
【請求項２】
前記型穴は、第１の場所に第１の寸法及び第２の場所に第２の寸法を持つように構成される、前記高温域は、電磁放射線に曝されると、前記第１の場所に隣接している第１の領域において第１の温度を、及び前記第２の場所に隣接している第２の領域において第２の温度を達成するように構成され、前記第１の温度は前記第２の温度よりも高い、請求項１に記載のシステム。
【請求項３】
前記第１の領域にある第１の高温域の材料は、前記第２の領域にある第２の高温域の材料とは異なる、請求項２に記載のシステム。
【請求項４】
前記第１の寸法は、前記第２の寸法よりも大きい、請求項２に記載のシステム。
【請求項５】
前記第１の領域は、第１のサセプタンスを持つように構成され、前記第２の領域は、第２のサセプタンスを持つように構成され、前記第１のサセプタンスは、前記第２のサセプタンスよりも大きい、請求項２に記載のシステム。
【請求項６】
前記高温域の領域のサセプタンスは、第１のサセプタンスを持つ第１の材料及び第２のサセプタンスを持つ第２の材料の堆積パターンにより決定され、前記第１のサセプタンスは、前記第２のサセプタンスよりも大きい、請求項１に記載のシステム。
【請求項７】
前記電磁放射線を生成する前記エネルギー源は、前記システムの一部を形成する、請求項１に記載のシステム。
【請求項８】
電磁放射線を吸収するように構成される１つ以上の材料から金型を作る方法において、
前記金型の高温域のための第１の材料を選択するステップ、
前記金型の低温域のための第２の材料を選択するステップであり、前記高温域及び低温域は、前記高温域及び低温域が電磁放射線を異なる速度で吸収するように少なくとも１つの異なる物理特性を有し、前記高温域は、前記低温域よりも速く電磁放射線を吸収する、ステップ、
前記金型のスペーサー領域のための第３の材料を選択するステップであり、前記第３の材料は、前記低温域のサセプタンスと前記高温域のサセプタンスとの間のサセプタンスを持つ材料である、ステップ、並びに
型穴を形成する金型の内部表面を有する金型を形成するステップであり、前記高温域は、複数の高温域の領域を含むように形成され、前記スペーサー領域は、前記高温域の領域間、及び／又は高温域の領域と前記型穴との間に配される
方法。
【請求項９】
前記金型の型穴を測定するステップ、及び
前記型穴の第１の寸法が前記型穴の第２の寸法を超えているかを既定のしきい値により決定するステップ
をさらに有する請求項８に記載の方法。
【請求項１０】
前記高温域を少なくとも２つの領域に分割するステップをさらに有し、
前記少なくとも２つの領域の第１の領域は、第１の寸法を持つ前記型穴の第１の部分に隣接し、前記少なくとも２つの領域の第２の領域は、第２の寸法を持つ前記型穴の第２の部分に隣接し、前記第２の寸法は前記第１の寸法よりも小さい、請求項８に記載の方法。
【請求項１１】
前記金型を形成するステップはさらに、
第１のサセプタンスを用いて前記高温域の前記第１の領域を形成するステップ、及び
第２のサセプタンスを用いて前記高温域の前記第２の領域を形成するステップ
を有し、前記第１のサセプタンスは、前記第２のサセプタンスよりも大きい、請求項１０に記載の方法。
【請求項１２】
前記高温域を少なくとも２つの領域に分割するステップをさらに有し、
前記少なくとも２つの領域の第１の領域は、第１のサセプタンスを持つ、及び前記少なくとも２つの領域の第２の領域は、第２のサセプタンスを持つ、前記第１のサセプタンスは前記第２のサセプタンスとは相違する、前記サセプタンスの相違は、前記第１の領域にわたる第１の高温域の材料の第１の分布密度、及び前記第２の領域にわたる前記第１の高温域の材料の第２の分布密度から生じる、請求項９に記載の方法。
【手続補正書】
【提出日】令和3年3月15日(2021.3.15)
【手続補正１】
【補正対象書類名】特許請求の範囲
【補正対象項目名】請求項５
【補正方法】変更
【補正の内容】
【請求項５】
前記事前組立した駆動及び回転システムユニット（１００）が、ネックベアリング（４）及びベースベアリング（５）を含むベアリング構成で回転可能に取り付けられる駆動スピンドル（３）であって、前記ネックベアリング（４）がベアリングハウジング（６）内に取り付けられ、前記ベアリングハウジング（６）が一部品または多部品のモーターハウジング（８）上の中間リング（７）のような直接または少なくとも１つの中間部材を介して配置され、前記ベアリングハウジング（６）、必要に応じて前記中間リング（７）及び前記モーターハウジング（８）が各々、それらの外周に環状フランジ部（６ａ、７ａ及び８ａ）を有し、それらが事前組立した駆動及び回転システムユニット（１００）の環状フランジ部（１００ａ）を一緒に形成する駆動スピンドル（３）を備えることを特徴とする、請求項１から４のいずれか一項に記載の分離器。